(57)【要約】【課題】乗員に警告を効果的に発する。【解決手段】警告機構１０では、車両の走行中に乗員にシートベルト１６が装着されない場合に、乗員へのシートベルト１６の装着が必要な装着必要状況が検知された際、モータ２０が逆回転されることで、ギヤ機構１８を介して巻取軸１４が回転されて、巻取軸１４からシートベルト１６が引き出される。このため、モータ２０及びギヤ機構１８の駆動音を乗員が聞くことで、当該駆動音によって乗員にシートベルト１６の装着を促す警告を発することができる。これにより、乗員に警告を効果的に発することができる。【選択図】図１
2007331423.tif 000002
【特許請求の範囲】
【請求項１】
車両の乗員に装着可能にされるシートベルトと、
駆動されることで前記シートベルトが巻き取り、引き出しされるモータを備えた巻取機構と、
前記シートベルトが乗員に装着されていない際に、前記モータを駆動させることで乗員に警告を発する警告手段と、
を備えた警告機構。
【請求項２】
前記警告手段は、車両の衝突が予知される状況に比し車両が衝突しない状況で、前記モータを駆動させる、ことを特徴とする請求項１記載の警告機構。
【請求項３】
前記警告手段は、車両の速度、車両の操舵角度及び車両のブレーキ操作量の少なくとも１つに基づき前記モータを駆動させる、ことを特徴とする請求項１又は請求項２記載の警告機構。
【発明の詳細な説明】
【技術分野】
【０００１】
本発明は、乗員に警告を発する警告機構に関する。
【背景技術】
【０００２】
警告機構としては、車両の乗員にシートベルトが装着されていない際に、警報ランプやブザーによって乗員に警告を発するものがある（例えば、特許文献１参照）。
【０００３】
ここで、このような警告機構では、乗員に警告を効果的に発することができるのが好ましい。
【特許文献１】特開２００５−２２５６３公報
【発明の開示】
【発明が解決しようとする課題】
【０００４】
本発明は、上記事実を考慮し、乗員に警告を効果的に発することができる警告機構を得ることが目的である。
【課題を解決するための手段】
【０００５】
請求項１に記載の警告機構は、車両の乗員に装着可能にされるシートベルトと、駆動されることで前記シートベルトが巻き取り、引き出しされるモータを備えた巻取機構と、前記シートベルトが乗員に装着されていない際に、前記モータを駆動させることで乗員に警告を発する警告手段と、を備えている。
【０００６】
請求項２に記載の警告機構は、請求項１に記載の警告機構において、前記警告手段は、車両の衝突が予知される状況に比し車両が衝突しない状況で、前記モータを駆動させる、ことを特徴としている。
【０００７】
請求項３に記載の警告機構は、請求項１又は請求項２に記載の警告機構において、前記警告手段は、車両の速度、車両の操舵角度及び車両のブレーキ操作量の少なくとも１つに基づき前記モータを駆動させる、ことを特徴としている。
【発明の効果】
【０００８】
請求項１に記載の警告機構では、車両の乗員にシートベルトが装着可能にされている。また、巻取機構がモータを備えており、モータが駆動されることで、シートベルトが巻き取り、引き出しされる。
【０００９】
ここで、シートベルトが乗員に装着されていない際には、警告手段がモータを駆動させることで乗員に警告を発する。このため、乗員に警告を効果的に発することができる。
【００１０】
請求項２に記載の警告機構では、警告手段が、車両の衝突が予知される状況に比し車両が衝突しない状況で、モータを駆動させることで、乗員に警告を発する。このため、警告によって乗員がシートベルトを装着するのを容易にすることができる。
【００１１】
請求項３に記載の警告機構では、警告手段が、車両の速度、車両の操舵角度及び車両のブレーキ操作量の少なくとも１つに基づき、モータを駆動させることで、乗員に警告を発する。このため、乗員に警告を発する必要がある状況を的確に検出することができる。
【発明を実施するための最良の形態】
【００１２】
図１には、本発明の実施の形態に係る警告機構１０がブロック図にて示されている。
【００１３】
本実施の形態に係る警告機構１０は、車両に設けられており、巻取機構としてのモータリトラクタ１２を備えている。
【００１４】
モータリトラクタ１２には、巻取軸１４が回転可能に設けられており、巻取軸１４には、長尺帯状のシートベルト１６が巻き取られている。巻取軸１４には、ギヤ機構１８が連結されており、ギヤ機構１８には、モータ２０が連結されている。モータ２０には、警告手段（制御手段）としてのＥＣＵ２２が接続されており、ＥＣＵ２２の制御によってモータ２０が駆動されることで、ギヤ機構１８を介して、巻取軸１４がギヤ機構１８によって減速されつつ回転される。また、モータ２０は、ＥＣＵ２２の制御によって正回転及び逆回転可能にされており、モータ２０が正回転されることで、巻取軸１４にシートベルト１６が巻き取られる一方、モータ２０が逆回転されることで、巻取軸１４からシートベルト１６が引き出される。
【００１５】
シートベルト１６には、タング（図示省略）が設けられており、タングが車両に設けられたバックル装置（図示省略）に係止されることで、シートベルト１６が車両のシートに着席した乗員（例えば運転手）に装着される。バックル装置には、装着検出手段としてのバックルスイッチ２４が設けられており、バックルスイッチ２４は、タングのバックル装置への係止を検出可能にされている。バックルスイッチ２４はＥＣＵ２２に接続されており、ＥＣＵ２２は、バックルスイッチ２４からの信号に基づき、乗員へのシートベルト１６の装着を検知可能にされている。
【００１６】
ＥＣＵ２２には、距離センサ２６が接続されており、距離センサ２６は、車両に設けられて、車両の障害物との距離（例えば車間距離）を検出可能にされている。
【００１７】
ＥＣＵ２２には、検出手段を構成する車速センサ２８が接続されており、車速センサ２８は、車両に設けられて、車両の速度を検出可能にされている。
【００１８】
ＥＣＵ２２には、検出手段を構成する舵角センサ３０が接続されており、舵角センサ３０は、車両のハンドル（図示省略）に接続されて、ハンドルの操舵角度（車両の操舵角度）を検出可能にされている。
【００１９】
ＥＣＵ２２には、検出手段を構成するブレーキセンサ３２が接続されており、ブレーキセンサ３２は、車両のブレーキ（図示省略）に接続されて、ブレーキの操作量（踏み込み量）を検出可能にされている。
【００２０】
ＥＣＵ２２は、車速センサ２８からの信号に基づき車両が走行中（前進中）であること検知した際には、距離センサ２６、車速センサ２８、舵角センサ３０及びブレーキセンサ３２の少なくとも１つからの信号に基づき、車両の衝突を予知可能にされている。具体的には、ＥＣＵ２２は、距離センサ２６からの信号に基づく車両の障害物との距離、車速センサ２８からの信号に基づく車両の速度、舵角センサ３０からの信号に基づくハンドルの操舵角度（ハンドルの操舵角度の加速度でもよい）、及び、ブレーキセンサ３２からの信号に基づくブレーキの操作量（ブレーキの操作加速度でもよい）の少なくとも１つが、それぞれに予め設けられた規定値以下（車両の障害物との距離の場合）又は以上（車両の障害物との距離以外の場合）である際に、車両の衝突を予知する。
【００２１】
ＥＣＵ２２は、車速センサ２８からの信号に基づき車両が走行中（前進中）であること検知した際には、車速センサ２８、舵角センサ３０及びブレーキセンサ３２の少なくとも１つからの信号に基づき、乗員へのシートベルト１６の装着が必要な装着必要状況を検知可能にされている。具体的には、ＥＣＵ２２は、車速センサ２８からの信号に基づく車両の速度、舵角センサ３０からの信号に基づくハンドルの操舵角度（ハンドルの操舵角度の加速度でもよい）、及び、ブレーキセンサ３２からの信号に基づくブレーキの操作量（ブレーキの操作加速度でもよい）の少なくとも１つが、それぞれに予め設けられた所定値（それぞれの規定値より低い値）以上である際に、装着必要状況を検知する。なお、例えば、ハンドルの操舵角度が所定値以上であると乗員に車両左右方向への大きな慣性力が作用し、また、ブレーキの操作量が所定値以上であると乗員に車両前方への大きな慣性力が作用するため、乗員へのシートベルト１６の装着が必要である。
【００２２】
ＥＣＵ２２は、バックルスイッチ２４からの信号に基づき乗員へのシートベルト１６の装着を検知した状態で、車両の衝突を予知した際には、モータ２０を正回転させる。これにより、ギヤ機構１８を介して巻取軸１４が回転されて、巻取軸１４にシートベルト１６が巻き取られることで、乗員に装着されるシートベルト１６の張力が大きくされる。
【００２３】
さらに、ＥＣＵ２２は、バックルスイッチ２４からの信号に基づき乗員へのシートベルト１６の装着を検知しない状態（乗員にシートベルト１６が装着されていない状態）で、装着必要状況を検知した際には、モータ２０を最大速度（出力ＤＵＴＹ１００％）で逆回転させる。これにより、ギヤ機構１８を介して巻取軸１４が回転されて、巻取軸１４からシートベルト１６が引き出される。
【００２４】
次に、本実施の形態の作用を説明する。
【００２５】
以上の構成の警告機構１０では、図２に示す如く、ステップ１００において、車速センサ２８からの信号に基づき車両が走行中（前進中）であるか否かが判断される。
【００２６】
ステップ１００において、車両が走行中でないと判断された際には、再度ステップ１００の処理が繰り返される。
【００２７】
ステップ１００において、車両が走行中であると判断された際には、ステップ１０２において、バックルスイッチ２４からの信号に基づき乗員へのシートベルト１６の装着を検知したか否かが判断される。
【００２８】
ステップ１０２において、乗員へのシートベルト１６の装着を検知した際には、再度ステップ１００の処理が繰り返される。
【００２９】
ステップ１０２において、乗員へのシートベルト１６の装着を検知しない際には、ステップ１０４において、車速センサ２８、舵角センサ３０及びブレーキセンサ３２の少なくとも１つからの信号に基づき、乗員へのシートベルト１６の装着が必要な装着必要状況を検知したか否かが判断される。
【００３０】
ステップ１０４において、乗員へのシートベルト１６の装着が必要な装着必要状況を検知しない際には、再度ステップ１００の処理が繰り返される。
【００３１】
ステップ１０４において、乗員へのシートベルト１６の装着が必要な装着必要状況を検知した際には、ステップ１０６において、モータ２０を最大速度で逆回転させることで、ギヤ機構１８を介して巻取軸１４が回転されて、巻取軸１４からシートベルト１６が引き出される。
【００３２】
このため、モータ２０及びギヤ機構１８の駆動音を乗員が聞くことで、当該駆動音によって乗員にシートベルト１６の装着を促す警告を発することができる。さらに、引き出されるシートベルト１６を乗員が視認する場合には、当該視認によっても乗員に前記警告を発することができる。これにより、乗員に前記警告を効果的に発することができる。
【００３３】
また、ステップ１０４においては、車両の速度、ハンドルの操舵角度及びブレーキの操作量の少なくとも１つが、それぞれの規定値（車両の衝突が予知される値）より低いそれぞれの所定値以上である際に、装着必要状況が検知される。このため、車両の衝突が予知される状況に比し車両が衝突しない車両の走行状態で、乗員に前記警告が発せられる。これにより、前記警告によって乗員がシートベルトを装着するのを容易にすることができる。
【００３４】
さらに、上述の如く、車両の速度、ハンドルの操舵角度及びブレーキの操作量の少なくとも１つに基づき、乗員に前記警告が発せられる。このため、装着必要状況（乗員に前記警告を発する必要がある状況）を的確に検出することができる。
【００３５】
なお、本実施の形態では、ステップ１０４において、乗員へのシートベルト１６の装着が必要な装着必要状況を検知した際に、ステップ１０６において、モータ２０を最大速度で逆回転させる構成としたが、ステップ１０４において、乗員へのシートベルト１６の装着が必要な装着必要状況を検知した際に、ステップ１０６において、モータ２０を最大速度で正回転させる構成としてもよい。これにより、モータ２０のシートベルト１６巻き取り駆動によるモータ２０及びギヤ機構１８の駆動音によって乗員にシートベルト１６の装着を促す警告を発することができる。
【００３６】
また、本実施の形態において、ＥＣＵ２２に警告装置としての発音手段（例えばナビゲーションシステム又はブザー）を接続した構成としてもよい。この場合、上記ステップ１０６において、ＥＣＵ２２が発音手段へ発音指示信号を送信して、発音手段が警告音（例えばナビゲーションシステムの音声又はブザーのブザー音）を発生することで、乗員にシートベルト１６の装着を促す警告を発することができる。
【図面の簡単な説明】
【００３７】
【図１】本発明の実施の形態に係る警告機構を示すブロック図である。
【図２】本発明の実施の形態に係る警告機構の警告処理を示すフローチャートである。
【符号の説明】
【００３８】
１０    警告機構
１２    モータリトラクタ（巻取機構）
１６    シートベルト
２０    モータ
２２    ＥＣＵ（警告手段）
【図１】
2007331423.tif 000003
【図２】
2007331423.tif 000004